(57)【要約】【課題】画像の光沢を低減するローラーに残留しているトナーを生産性を下げずに除去することができる画像形成装置及び光沢低減装置を提供する。【解決手段】画像形成装置は、用紙に画像を形成する画像形成部と、画像形成部により形成される画像を用紙に定着させる定着部４３と、定着部４３により定着される画像の光沢を低減する光沢低減部４５とを含む。光沢低減部４５は、画像の表面を荒らす凹凸ローラー４５１と、凹凸ローラー４５１を加圧して形成されるニップＮに用紙を通過させる加圧ローラー４５２と、凹凸ローラー４５１を清掃するウェブ４５６と、ウェブ４５６を凹凸ローラーに押し当てるバックアップローラー４５３とを含む。ウェブ４５６は、凹凸ローラー４５１に付着する付着物を清掃するものであって、且つ凹凸ローラー４５１及びバックアップローラー４５３よりも柔らかい。【選択図】図２
2019105760.tif 000002
【特許請求の範囲】
【請求項１】
用紙に画像を形成する画像形成部と、
前記画像形成部により形成される前記画像を前記用紙に定着させる定着部と、
前記定着部により前記用紙に定着される前記画像の光沢を低減する光沢低減部と、
を備え、
前記光沢低減部は、
前記画像の表面を荒らす凹凸ローラーと、
前記凹凸ローラーを加圧する加圧ローラーと、
前記凹凸ローラーを清掃するウェブと、
前記ウェブを前記凹凸ローラーに押し当てるバックアップローラーと、
を備え、
前記ウェブは、
前記凹凸ローラーと前記加圧ローラーとの間に形成されるニップを前記用紙が通過したときに前記凹凸ローラーに付着する付着物を清掃するものであって、且つ前記凹凸ローラー及び前記バックアップローラーよりも柔らかいものである、
画像形成装置。
【請求項２】
前記凹凸ローラーは、
表面が凹凸形状に構成され、
前記ウェブは、
厚み幅が、前記凹凸ローラーの表面粗さにおける最大高さよりも大きい、
請求項１に記載の画像形成装置。
【請求項３】
前記バックアップローラーは、
つぶれ量が、前記凹凸ローラーの表面粗さにおける最大高さよりも大きい、
請求項１又は２に記載の画像形成装置。
【請求項４】
前記バックアップローラーの硬度は、
前記バックアップローラーに前記ウェブを被せた状態の硬度よりも大きく、且つ前記凹凸ローラーの硬度よりも小さい、
請求項１〜３の何れか一項に記載の画像形成装置。
【請求項５】
前記バックアップローラーの硬度と、前記バックアップローラーに前記ウェブを被せた状態の硬度との差異は５よりも大きいものであって、且つ前記バックアップローラーの表面のマイクロ硬度（ＴｙｐｅＣ）は６０度以上である、
請求項１〜４の何れか一項に記載の画像形成装置。
【請求項６】
前記ウェブは、
坪量が３０ｇ以上であり、且つ繊維から構成される、
請求項１〜５の何れか一項に記載の画像形成装置。
【請求項７】
前記ウェブは、
剛度が０．４以下である、
請求項６に記載の画像形成装置。
【請求項８】
用紙に定着される画像の光沢を低減する光沢低減装置であって、
前記画像の表面を荒らす凹凸ローラーと、
前記凹凸ローラーを加圧する加圧ローラーと、
前記凹凸ローラーを清掃するウェブと、
前記ウェブを前記凹凸ローラーに押し当てるバックアップローラーと、
を備え、
前記ウェブは、
前記凹凸ローラーと前記加圧ローラーとの間に形成されるニップを前記用紙が通過したときに前記凹凸ローラーに付着する付着物を清掃するものであって、且つ前記凹凸ローラー及び前記バックアップローラーよりも柔らかいものである、
光沢低減装置。
【発明の詳細な説明】
【技術分野】
【０００１】
本開示は、画像形成装置及び光沢低減装置に関する。
【背景技術】
【０００２】
近年、コピー、ネットワークプリント、ファックス、及びスキャン等の機能を集約した画像形成装置が普及している。また、従来より、画像形成装置に設けられている定着部により形成された画像に光沢が生じていることがある。そこで、定着部の後段側に画像の光沢を低減させるものとして、粗しローラーが設けられているもの（例えば、特許文献１参照）が提案されている。また、定着部の後段側にある画像の光沢を低減させる加熱ローラーによりトナー像を軟化させることで加熱ローラーの表面性に近づくようにトナー像の表面粗さが大きくなるものも提案されている（例えば、特許文献２，３参照）。なお、定着ローラーに付着したトナー等を除去するものとしては、ウェブによりトナー等をローラーから除去するものが提案されている（例えば、特許文献４〜７参照）。
【先行技術文献】
【特許文献】
【０００３】
【特許文献１】特開平１１−０８４７７０号公報
【特許文献２】特開２００９−００８７０９号公報
【特許文献３】特開平０９−２６５２４３号公報
【特許文献４】特開２００３−２５５７４５号公報
【特許文献５】特開２００２−２５８６５７号公報
【特許文献６】特開２００９−００８９９６号公報
【特許文献７】特開２００８−１２９２７９号公報
【発明の概要】
【発明が解決しようとする課題】
【０００４】
上記特許文献１に記載のような従来技術では、画像の光沢を低減するときにトナーが粗しローラーに付着する場合、粗しローラーが汚れる。また、上記特許文献２，３に記載のような従来技術では、画像の光沢を低減するときにトナーが加熱ローラーに付着する場合、加熱ローラーが汚れる。よって、汚れ状況によってはトナーを除去する作業が必要となる。しかし、特許文献４〜７に記載のような従来技術は、定着ローラーに付着するトナーがウェブにより除去されるものであって、画像の光沢を低減するためのローラーに付着するトナーがウェブにより除去されるものではない。画像の光沢を低減するためのローラーは、定着ローラーよりも多くの凹凸が表面に形成されているため、表面が充分に平滑な定着ローラーと同様には付着するトナーを除去することはできない。よって、トナーの付着力を下げるためにトナーの温度を軟化点以上に加熱してから清掃する必要があり、生産性が低下する状況である。
【０００５】
本開示はこのような状況に鑑みてなされたものであり、画像の光沢を低減するローラーに残留しているトナーを生産性を下げずに除去することができるようにするものである。
【課題を解決するための手段】
【０００６】
本開示の第１の側面である画像形成装置は、用紙に画像を形成する画像形成部と、前記画像形成部により形成される前記画像を前記用紙に定着させる定着部と、前記定着部により前記用紙に定着される前記画像の光沢を低減する光沢低減部と、を備え、前記光沢低減部は、前記画像の表面を荒らす凹凸ローラーと、前記凹凸ローラーを加圧する加圧ローラーと、前記凹凸ローラーを清掃するウェブと、前記ウェブを前記凹凸ローラーに押し当てるバックアップローラーと、を備え、前記ウェブは、前記凹凸ローラーと前記加圧ローラーとの間に形成されるニップを前記用紙が通過したときに前記凹凸ローラーに付着する付着物を清掃するものであって、且つ前記凹凸ローラー及び前記バックアップローラーよりも柔らかいものである。
【０００７】
また、前記凹凸ローラーは、表面が凹凸形状に構成され、前記ウェブは、厚み幅が、前記凹凸ローラーの表面粗さにおける最大高さよりも大きい、ことが好ましい。
【０００８】
また、前記バックアップローラーは、つぶれ量が、前記凹凸ローラーの表面粗さにおける最大高さよりも大きい、ことが好ましい。
【０００９】
また、前記バックアップローラーの硬度は、前記バックアップローラーに前記ウェブを被せた状態の硬度よりも大きく、且つ前記凹凸ローラーの硬度よりも小さい、ことが好ましい。
【００１０】
また、前記バックアップローラーの硬度と、前記バックアップローラーに前記ウェブを被せた状態の硬度との差異は５よりも大きいものであって、且つ前記バックアップローラーの表面のＭＤ−１硬度（ＴｙｐｅＣ）は６０度以上である、ことが好ましい。
【００１１】
また、前記ウェブは、坪量が３０ｇ以上であり、且つ繊維から構成される、ことが好ましい。
【００１２】
また、前記ウェブは、剛度が０．４以下である、ことが好ましい。
【００１３】
また、本開示の第２の側面である光沢低減装置は、用紙に定着される画像の光沢を低減する光沢低減装置であって、前記画像の表面を荒らす凹凸ローラーと、前記凹凸ローラーを加圧する加圧ローラーと、前記凹凸ローラーを清掃するウェブと、前記ウェブを前記凹凸ローラーに押し当てるバックアップローラーと、を備え、前記ウェブは、前記凹凸ローラーと前記加圧ローラーとの間に形成されるニップを前記用紙が通過したときに前記凹凸ローラーに付着する付着物を清掃するものであって、且つ前記凹凸ローラー及び前記バックアップローラーよりも柔らかいものである。
【発明の効果】
【００１４】
本開示の第１及び第２の側面によれば、画像の光沢を低減するローラーに残留しているトナーを生産性を下げずに除去することができる。
【図面の簡単な説明】
【００１５】
【図１】本開示を適用した実施形態に係る画像形成装置１の全体構成例を示す図である。
【図２】本開示を適用した実施形態に係る定着部４３及び光沢低減部４５の構成例を示す図である。
【図３】本開示を適用した実施形態に係る光沢低減部４５におけるバックアップローラー４５３のつぶれ量Ｓを説明する図である。
【図４】本開示を適用した実施形態に係る光沢低減部４５におけるバックアップローラー４５３によりウェブ４５６を凹凸ローラー４５１に押し当てたときのウェブ４５６の形状の一例を概略的に示す図である。
【図５】本開示を適用した実施形態に係る光沢低減部４５におけるバックアップローラー４５３のマイクロ硬度と、バックアップローラー４５３にウェブ４５６を被せた状態のマイクロ硬度とに応じたクリーニング時間の一例を示す図である。
【図６】本開示を適用した実施形態に係る光沢低減部４５におけるバックアップローラー４５３の硬度に応じたクリーニング時間の一例を示す図である。
【図７】本開示を適用した実施形態に係るウェブ４５６の坪量に応じたクリーニング時間の一例を示す図である。
【図８】従来の定着部７３の構成例を示す図である。
【図９】従来のバックアップローラー７５３によりウェブ７５６を定着ローラー７３１に押し当てたときのウェブ７５６の形状の一例を概略的に示す図である。
【発明を実施するための形態】
【００１６】
以下、図面に基づいて本発明の実施形態を説明するが、本発明は以下の実施形態に限られるものではない。
【００１７】
図１は、本開示を適用した実施形態に係る画像形成装置１の全体構成例を示す図である。画像形成装置１は、読取部１１と、画像形成装置本体１９とを備える。読取部１１は、ＡＤＦ１１Ａと、原稿読取部１１Ｂとを備える。ＡＤＦ１１Ａは、原稿トレイ、通紙経路、排紙トレイ、密着型イメージセンサー、及び濃度基準部材等を備える。濃度基準部材は、ＡＤＦ１１Ａのシェーディング補正時に利用される。原稿読取部１１Ｂは、原稿照明部、反射ミラー、集光レンズ、センサー、及びプラテンガラス等を備える。読取部１１は、原稿トレイにセットされている原稿を、１枚ずつ分離して繰り出し、密着型イメージセンサーが配置されている通紙経路に沿って副走査方向に搬送し、排紙トレイに排紙する。原稿照明部は、ランプと、ミラーとを備える。原稿は通紙経路に沿って副走査方向に搬送されつつ、主走査方向のライン単位の読取動作が、原稿照明部、反射ミラー、集光レンズ、及びセンサーにより繰り返し実行される。
【００１８】
画像形成装置本体１９は、画像形成部４１、定着部４３、光沢低減部４５、及び給紙部６１等を備える。画像形成部４１は、露光装置５１と、現像装置５３と、感光ドラム５５と、転写ベルト５７とを備え、Ｙ、Ｍ、Ｃ、Ｋの各色ごとのトナー像を形成する。画像形成部４１は、読取部１１により読み取られた原稿の画像データに基づき、露光装置５１により感光ドラム５５に異なる色のトナーＴを供給して現像する。画像形成部４１は、給紙部６１から供給された用紙に、感光ドラム５５に現像されたトナー像を転写ベルト５７により転写することで、用紙に画像を形成する。画像形成部４１は、用紙に転写されたトナー像のトナーＴを定着部４３で溶融させることにより、用紙にカラー画像が定着する。光沢低減部４５は、定着部４３により用紙に定着される画像の光沢を低減するものであって、光沢低減装置として機能するものである。画像形成装置本体１９は、制御部１０１を備える。制御部１０１は、ＲＯＭ、ＲＡＭ、ＣＰＵ、及びＩ／Ｏインターフェース等を備え、不図示の記憶部に記憶された各種プログラムを実行することにより、読取部１１及び画像形成装置本体１９で実行可能な各種機能を実現する。
【００１９】
図２は、本開示を適用した実施形態に係る定着部４３及び光沢低減部４５の構成例を示す図である。定着部４３及び光沢低減部４５は、制御部１０１により制御され、不図示の駆動モーター等により駆動される。定着部４３は、定着ローラー４３１、定着ベルト４３２、加熱ローラー４３３、及び加圧ローラー４３５を含む。定着ベルト４３２は、定着ローラー４３１と、加熱ローラー４３３とに巻き掛けられている。加熱ローラー４３３は、ハロゲンヒーター４３４を内蔵する。よって、定着ベルト４３２は、加熱ローラー４３３を介してハロゲンヒーター４３４の熱が伝達される。定着ローラー４３１が定着ベルト４３２を介して加圧ローラー４３５に押されることによりニップＮが形成される。加圧ローラー４３５は、ハロゲンヒーター４３６を内蔵する。よって、ニップＮは、ハロゲンヒーター４３４の熱だけでなく、ハロゲンヒーター４３６の熱も伝達される。用紙の搬送方向に沿って、搬送経路４３８が構成され、搬送経路４３８の下流側には搬送ローラー４３７が設けられている。
【００２０】
光沢低減部４５は、凹凸ローラー４５１、加圧ローラー４５２、ウェブ４５６、及びバックアップローラー４５３等を含む。凹凸ローラー４５１は、例えば、アルミのローラーにブラスト処理が施され、表層にはフッ素系材料でコートが施されている。このような構成により、凹凸ローラー４５１は、表面粗さにおける最大高さＲｚが５０μｍに調整されている。よって、凹凸ローラー４５１は、表面が凹凸形状に構成される。加圧ローラー４５２は、凹凸ローラー４５１を加圧する。したがって、用紙が凹凸ローラー４５１と加圧ローラー４５２との間に形成されるニップＮを通過すれば、用紙に形成された画像の表面は、凹凸ローラー４５１により荒らされる。凹凸ローラー４５１の内部には熱源として例えばハロゲンヒーター４５７が設けられている。よって、ニップＮにより画像上のトナー層をトナーＴのガラス転移点Ｔｇ以上の温度に到達させた状態で、用紙に形成された画像が凹凸ローラー４５１の表面の凹凸形状で型押しされれば、用紙に形成された画像の表面は荒らされるため、用紙に形成された画像の光沢は低減される。
【００２１】
なお、トナー層の温度がガラス転移点Ｔｇ以上であればトナーＴは変形するが、ガラス転移点Ｔｇより高い温度であるトナーＴの軟化点未満であれば、用紙に形成された画像が必要以上に荒らされない。例えば、凹凸ローラー４５１の温度は、凹凸ローラー４５１の周囲に設けられている温度センサー４５９で検知されるものであって、ハロゲンヒーター４５７により８０℃に設定されている。つまり、用紙がニップＮを通過中、画像上のトナー層の温度は、ガラス転移点Ｔｇ以上であり、且つ軟化点未満であれば、通常の画像形成時、凹凸ローラー４５１が汚れることはない。ただし、ＪＡＭが発生した場合、ニップＮにおいて、画像上のトナーＴが長時間熱せられることにより、凹凸ローラー４５１上にトナーＴが入り込めば、凹凸ローラー４５１の清掃が必要となる。
【００２２】
そこで、凹凸ローラー４５１を清掃するウェブ４５６が使用される。ウェブ４５６は、用紙がニップＮを通過したときに凹凸ローラー４５１に付着する付着物を清掃するものであって、且つ凹凸ローラー４５１及びバックアップローラー４５３よりも柔らかいものである。ウェブ４５６は、厚み幅ｗが、凹凸ローラー４５１の表面粗さにおける最大高さＲｚよりも大きい。ウェブ４５６は、繊維から構成され、液体が含浸可能であり、アラミド繊維の不織布、ポリエステル繊維の不織布、パルプの不織布、又はアラミド繊維、ポリエステル繊維、及びパルプの混合繊維からなる不織布等から構成されるものであれば特に限定されない。なお、ウェブ４５６は、潤滑性及び熱伝導率性を向上させるための液体として例えばシリコンオイルが予め含浸されている。また、ウェブ４５６は、剛度が０．４以下であることが好ましい。よって、ウェブ４５６は、繊維間が薬剤又は熱で固められているものは向かない。したがって、ウェブ４５６の形成方法としては、乾式法又は湿式法が適切である。また、繊維の結合方法としては、水流交絡法で結合されたものが、特に好ましい。
【００２３】
ウェブ４５６は、未使用のものが元巻軸４５４に巻き付けられ、使用済みのものが巻取軸４５５で巻き取られる。ウェブ４５６は、バックアップローラー４５３により凹凸ローラー４５１に押し当てられる。バックアップローラー４５３は、押圧部材４５８から付与される押圧力によりウェブ４５６を凹凸ローラー４５１に押し当てる。押圧部材４５８は、バネ等のような弾性部材を含み、弾性部材によりバックアップローラー４５３及びウェブ４５６を凹凸ローラー４５１側に押し当てることで、バックアップローラー４５３及びウェブ４５６の少なくとも一部がつぶされる。図３は、本開示を適用した実施形態に係る光沢低減部４５におけるバックアップローラー４５３のつぶれ量Ｓを説明する図である。バックアップローラー４５３は、つぶれ量Ｓが、凹凸ローラー４５１の表面粗さにおける最大高さＲｚよりも大きい。具体的には、凹凸ローラー４５１とバックアップローラー４５３との間の軸間距離Ｌは、凹凸ローラー４５１の半径ｒｂと、ウェブ４５６の厚み幅ｗと、バックアップローラー４５３との半径ｒｃとの合計であるが、つぶれ量Ｓの分だけ狭くなる。つぶれ量Ｓは、最大高さＲｚの２倍以上である。なお、ばね等の定荷重方式を用いることにより、つぶれ量Ｓを最大高さＲｚ以上としてもよい。
【００２４】
図４は、本開示を適用した実施形態に係る光沢低減部４５におけるバックアップローラー４５３によりウェブ４５６を凹凸ローラー４５１に押し当てたときのウェブ４５６の形状の一例を概略的に示す図である。バックアップローラー４５３の硬度は、バックアップローラー４５３にウェブ４５６を被せた状態の硬度よりも大きく、且つ凹凸ローラー４５１の硬度よりも小さい。図５は、本開示を適用した実施形態に係る光沢低減部４５におけるバックアップローラー４５３のマイクロ硬度と、バックアップローラー４５３にウェブ４５６を被せた状態のマイクロ硬度とに応じたクリーニング時間の一例を示す図である。図８は、従来の定着部７３の構成例を示す図である。図９は、従来のバックアップローラー７５３によりウェブ７５６を定着ローラー７３１に押し当てたときのウェブ７５６の形状の一例を概略的に示す図である。
【００２５】
図５の一例のようなクリーニング時間を測定する前提として、まず、Ｙ、Ｍ、Ｃの各色ごとのトナーＴを塗り重ねた３層ベタが形成された用紙をＪＡＭさせて１分間加温して放置し、トナーＴを充分に凹凸ローラー４５１の凹凸形状の底に付着させることで凹凸ローラー４５１上にトナーＴを入り込ませる。次に、ＪＡＭさせた用紙を取り除き、そのままの温度の凹凸ローラー４５１にウェブ４５６を押し当てた状態で、凹凸ローラー４５１を空回転させ、クリーニング動作を実施し、クリーニング時間を測定する。クリーニング時間の測定は、ウェブ４５６の硬度を変えて複数実施する。つまり、複数の異なる生地のウェブ４５６のそれぞれにおけるクリーニング時間を測定する。
【００２６】
なお、クリーニング動作時、凹凸ローラー４５１の温度を軟化点に近づければトナーＴが溶融状態に近づくため、クリーニング時間は短縮されるが、軟化点に近づけるための加温時間と、その後の冷却時間とに多くの時間を要するため、実際には、クリーニング時に加温すれば、全体としての生産性は低下する恐れがある。また、巻取軸７５５は、クリーニング動作時、駆動しないことが好ましい。巻取軸７５５を駆動させないことにより、ウェブ４５６は、凹凸ローラー４５１が空回転している間、凹凸ローラー４５１の表面を摺動する。巻取軸７５５は、印字率に応じて、又は用紙の走行距離に応じて、駆動させるのが好ましい。また、巻取軸７５５は、画像間で駆動させてもよい。つまり、ウェブ４５６は、一定量の負荷が付与された後、一部が巻取軸４５５に巻き取られるのが好ましい。
【００２７】
具体的には、図５に示すように、バックアップローラー４５３のマイクロ硬度を横軸にとり、バックアップローラー４５３にウェブ４５６を被せた状態のマイクロ硬度を縦軸にとると、４５度線から上側の領域ａ＿１と、４５度線から下側の領域ａ＿２及び領域ａ＿３とで異なる特徴が示される。ウェブ４５６の厚み幅ｗは厚くても１ｍｍ程度であって、薄いため、通常の硬度測定法では、下地の影響を受ける。そこで、高分子計器株式会社製のマイクロ硬度計ＭＤ−１ｃａｐａのＴｙｐｅＣを用いる。この硬度計であれば、計測時の面圧が、ウェブ４５６の設定に必要な面圧範囲とほぼ同等であって、また、微小な部位の硬度を測定できることから、クリーニング性評価と良い相関を得ることができる。つまり、バックアップローラー４５３よりウェブ４５６が柔らかければ、バックアップローラー４５３の硬度と、バックアップローラー４５３にウェブ４５６を被せた状態の硬度とを比較した結果は、バックアップローラー４５３にウェブ４５６を被せた状態の硬度の測定値が、バックアップローラー４５３の硬度の測定値よりも低くなる。なお、以降の説明では、測定結果がマイクロ硬度によるものを硬度として説明する。
【００２８】
領域ａ＿１は、バックアップローラー４５３の硬度よりもウェブ４５６の硬度が高いものが該当するため、従来、定着部７３でウェブ７５６により清掃するときの動作結果に相当する。定着部７３は、制御部１０１により制御され、不図示の駆動モーター等により駆動されるものであり、図８に示すように、定着ローラー７３１及び加圧ローラー７３５を含む。定着ローラー７３１は、ハロゲンヒーター７３４を内蔵する。よって、定着ローラー７３１の表面は、ハロゲンヒーター７３４の熱が伝達される。定着ローラー７３１が加圧ローラー７３５に押圧されることによりニップＭが形成される。加圧ローラー７３５は、ハロゲンヒーター７３６を内蔵する。よって、ニップＭは、ハロゲンヒーター７３４の熱だけでなく、ハロゲンヒーター７３６の熱も伝達される。用紙の搬送方向に沿って、搬送経路７３８が構成され、搬送経路７３８の下流側には搬送ローラー７３７が設けられている。定着ローラー７３１はバックアップローラー７５３によりウェブ７５６が押し当てられる。バックアップローラー７５３は押圧部材７５８によりウェブ７５６を押し当てる押圧力が付与される。ウェブ７５６は、未使用のものが元巻軸７５４に巻き付けられ、使用済みのものが巻取軸７５５で巻き取られる。
【００２９】
上記のような構成において、ウェブ７５６は、定着ローラー７３１及びバックアップローラー７５３よりも硬い。定着ローラー７３１は、バックアップローラー７５３よりも硬い。よって、図５に示す領域ａ＿１においては、バックアップローラー７５３がつぶれることでニップＭの幅を稼いで押圧される状態である。また、定着ローラー７３１の表面粗さは概ね５μｍ以下である。このような構成で使用されるウェブ７５６を凹凸ローラー４５１に適用し、凹凸ローラー４５１を１０分以上空回転させたとしても、ウェブ７５６が硬いため、ウェブ７５６の形状は凹凸ローラー４５１の凹凸形状の底に追従できず、凹凸ローラー４５１に付着したトナーＴを清掃するのは難しい。
【００３０】
そこで、凹凸ローラー４５１に付着したトナーＴを清掃するには、領域ａ＿２及び領域ａ＿３に該当するような構成が好ましい。領域ａ＿２及び領域ａ＿３においては、ウェブ４５６は、バックアップローラー４５３よりも柔らかいものが該当する。よって、領域ａ＿２及び領域ａ＿３においては、バックアップローラー４５３を凹凸ローラー４５１の凹凸形状以上につぶすことで、ウェブ４５６は、バックアップローラー４５３よりもつぶれることが可能となる。その結果、ウェブ４５６の形状が変形することで、凹凸ローラー４５１の凹凸形状の底にウェブ４５６の形状を追従させることができるため、凹凸ローラー４５１の凹凸形状の底にあるトナーＴを清掃することができる。具体的には、領域ａ＿２では、光沢低減部４５の構成は、クリーニング時間が３００秒以内であるものが該当する。一方、領域ａ＿３では、光沢低減部４５の構成は、クリーニング時間が１００秒以内であるものが該当する。より具体的には、領域ａ＿３では、光沢低減部４５の構成は、バックアップローラー４５３の硬度と、バックアップローラー４５３にウェブ４５６を被せた状態の硬度との差異が５よりも大きいものが該当する。
【００３１】
図６は、本開示を適用した実施形態に係る光沢低減部４５におけるバックアップローラー４５３の硬度に応じたクリーニング時間の一例を示す図である。図６に示すように、複数の異なる生地のウェブ４５６のそれぞれにおけるクリーニング時間を測定した結果、光沢低減部４５の構成において、バックアップローラー４５３の硬度が６０度以上に該当するものは、クリーニング時間が飽和する。つまり、光沢低減部４５の構成は、バックアップローラー４５３の硬度と、バックアップローラー４５３にウェブ４５６を被せた状態の硬度との差異が５よりも大きいものであって、且つバックアップローラー４５３の表面の硬度（ＴｙｐｅＣ）が６０度以上である。このような構成であれば、バックアップローラー４５３でウェブ４５６を凹凸ローラー４５１に押し当てることにより、凹凸ローラー４５１の凹凸形状の底にあるトナーＴをウェブ４５６により除去することが可能となる。
【００３２】
図７は、本開示を適用した実施形態に係るウェブ４５６の坪量に応じたクリーニング時間の一例を示す図である。図７に示すように、複数の異なる生地のウェブ４５６のそれぞれにおけるクリーニング時間を測定した結果、光沢低減部４５の構成は、バックアップローラー４５３の硬度が６０度以上のものが用いられる。図７に示すように、ウェブ４５６は、坪量が３０ｇ以上であれば、つぶされたときに充分な繊維密度が得られ、凹凸ローラー４５１の凹凸形状の底に充填される繊維量も飽和するため、クリーニング時間も飽和する。つまり、光沢低減部４５の構成は、ウェブ４５６が坪量が３０ｇ以上であり、且つ繊維から構成されるのが好ましい。
【００３３】
以上の説明から、ウェブ４５６は、凹凸ローラー４５１及びバックアップローラー４５３よりも柔らかい。よって、ウェブ４５６がバックアップローラー４５３よりも柔らかいため、バックアップローラー４５３によりウェブ４５６が凹凸ローラー４５１に押し当てられれば、ウェブ４５６はバックアップローラー４５３よりもつぶされて変形する。したがって、凹凸ローラー４５１の凹凸底部に沿ってウェブ４５６の形状が追従するため、画像の光沢を低減する凹凸ローラー４５１に残留しているトナーＴを生産性を下げずに除去することができる。
【００３４】
また、ウェブ４５６の厚み幅ｗは、凹凸ローラー４５１の表面粗さにおける最大高さＲｚよりも大きい。よって、凹凸形状の底までウェブ４５６が到達するため、凹凸形状の底にあるトナーＴをウェブ４５６で清掃することができる。したがって、凹凸ローラー４５１に残留しているトナーＴをウェブ４５６により除去することができる。
【００３５】
また、バックアップローラー４５３のつぶれ量Ｓは、凹凸ローラー４５１の表面粗さにおける最大高さＲｚよりも大きい。よって、凹凸形状の底に届くまでバックアップローラー４５３の形状をつぶすことができるため、ウェブ４５６を凹凸形状に追従させることができる。したがって、凹凸形状の底まで清掃することができる。
【００３６】
また、バックアップローラー４５３の硬度は、バックアップローラー４５３にウェブ４５６を被せた状態の硬度よりも大きく、凹凸ローラー４５１の硬度よりも小さい。よって、凹凸ローラー４５１、バックアップローラー４５３、及びウェブ４５６のうち、凹凸ローラー４５１が一番硬く、ウェブ４５６が一番柔らかい。したがって、バックアップローラー４５３の形状を凹凸ローラー４５１の凹凸形状に沿ってつぶすことにより、ウェブ４５６の形状がバックアップローラー４５３の形状よりもつぶされるため、ウェブ４５６の形状を変形させてウェブ４５６の形状を凹凸形状の底まで追従させることができる。
【００３７】
また、バックアップローラー４５３の硬度と、バックアップローラー４５３にウェブ４５６を被せた状態の硬度との差異は５よりも大きいものであって、且つバックアップローラー４５３の表面の硬度（ＴｙｐｅＣ）は６０度以上である。よって、バックアップローラー４５３によりウェブ４５６を凹凸ローラー４５１に押しつけることにより、凹凸ローラー４５１の凹凸形状に沿ってウェブ４５６の形状を確実につぶすことができる。
【００３８】
また、ウェブ４５６は、坪量が３０ｇ以上であり、且つ繊維から構成される。よって、ウェブ４５６は、形状が押しつぶされたときに充分な繊維密度が得られるため、凹凸形状の底にウェブ４５６を構成する繊維の繊維量が充分に充填される。したがって、凹凸形状の底にあるトナーＴを充分に除去することができる。
【００３９】
また、ウェブ４５６は、剛度が０．４以下である。よって、ウェブ４５６の形状が押しつぶされた状態であっても、ウェブ４５６を構成する繊維が押し固められることがない。よって、ウェブ４５６がバックアップローラー４５３よりも硬くなることがないため、クリーニング性を維持することができる。
【００４０】
以上、本開示を適用した画像形成装置１を実施形態に基づいて説明したが、本開示はこれに限定されるものではなく、本開示の趣旨を逸脱しない範囲で、変更を加えてもよい。例えば、本実施形態においては、なお、凹凸ローラー４５１の表面粗さにおける最大高さＲｚが５０μｍである一例について説明したが、これに限らず、最大高さＲｚは１０〜７０μｍのものであってもよい。
【符号の説明】
【００４１】
１  画像形成装置、１１  読取部、１１Ａ  ＡＤＦ、１１Ｂ  原稿読取部
１９  画像形成装置本体、１０１  制御部
４１  画像形成部、４３  定着部、４３１  定着ローラー、４３２  定着ベルト
４３３  加熱ローラー、４３４  ハロゲンヒーター、４３５  加圧ローラー
４３６  ヒーター、４３７  搬送ローラー、４３８  搬送経路
４５  光沢低減部、４５１  凹凸ローラー、４５２  加圧ローラー
４５３  バックアップローラー、４５４  元巻軸、４５５  巻取軸
４５６  ウェブ、４５７  ハロゲンヒーター
４５８  押圧部材、４５９  温度センサー
５１  露光装置、５３  現像装置、５５  感光ドラム、５７  転写ベルト
６１  給紙部
７３  定着部、７３１  定着ローラー、７３４  ハロゲンヒーター
７３５  加圧ローラー、７３６  ハロゲンヒーター
７３７  搬送ローラー、７３８  搬送経路
７５３  バックアップローラー、７５４  元巻軸、７５５  巻取軸
７５６  ウェブ、７５８  押圧部材
ｗ  厚み幅、ｒｂ，ｒｃ  半径、Ｌ  軸間距離、Ｓ  つぶれ量、Ｒｚ  最大高さ
Ｔ  トナー、ａ＿１〜ａ＿３  領域、Ｔｇ  ガラス転移点、Ｎ，Ｍ  ニップ
【図１】
2019105760.tif 000003
【図２】
2019105760.tif 000004
【図３】
2019105760.tif 000005
【図４】
2019105760.tif 000006
【図５】
2019105760.tif 000007
【図６】
2019105760.tif 000008
【図７】
2019105760.tif 000009
【図８】
2019105760.tif 000010
【図９】
2019105760.tif 000011